(57)【要約】【課題】カバーケースの前後方向の寸法は小さくても高さを十分に確保できるスタンド機構を備えた入力装置を提供する。【解決手段】入力操作を行う入力部１０と、外周を囲むように配置されたカバーケース３０と、スタンド対象物をカバーケース３０の上面に配置可能なスタンド機構２０と、を備えた入力装置１であって、スタンド機構２０は、入力部１０の入力操作者側を前側とすれば、カバーケース３０の後側に設けられて、スタンド対象物をカバーケース３０の上面位置で係止可能な第１係止部２１と、第１係止部２１に係止されたスタンド対象物を所定の角度で後側に傾斜させて支持可能な第１支持部２５と、を有し、第１支持部２５は前後方向に回転軸を有してカバーケース３０に軸支され、カバーケース３０の上面３０ａに埋め込まれるように収納可能であるとともに、カバーケース３０の上面３０ａから突出する状態へ切り替え可能である。【選択図】図１
2014056405.tif 000002
【特許請求の範囲】
【請求項１】
入力操作を行う入力部と、前記入力部の外周を囲むように配置されたカバーケースと、前記入力部の入力操作を行うときに参照するスタンド対象物を前記カバーケースの上面に配置可能なスタンド機構と、を備えた入力装置であって、
前記スタンド機構は、前記入力部の入力操作者側を前側とすれば、前記カバーケースの後側に設けられて、前記スタンド対象物を前記カバーケースの上面位置で係止可能な第１係止部と、前記第１係止部に係止された前記スタンド対象物を所定の角度で後側に傾斜させて支持可能な第１支持部と、を有し、
前記第１支持部は、前後方向に回転軸を有して前記カバーケースに軸支され、前記カバーケースの上面に埋め込まれるように収納可能であるとともに、前記カバーケースの上面から突出する状態へ切り替え可能であることを特徴とする入力装置。
【請求項２】
前記第１係止部は、入力操作者から見て左右方向に回転軸を有して前記カバーケースに軸支され、前記カバーケースの上面に埋め込まれるように収納可能であるとともに、前記カバーケースの上面から突出する状態へ切り替え可能であって、
前記第１係止部と前記第１支持部とは、左右方向に異なる位置に収納可能に配置されていることを特徴とする請求項１に記載の入力装置。
【請求項３】
前記スタンド機構は、前記スタンド対象物を前記カバーケースの上面位置で係止可能な第２係止部と、前記第２係止部に係止された前記スタンド対象物を所定の角度で後側に傾斜させて支持可能な第２支持部と、をさらに有し、
前記第２支持部は、前後方向に回転軸を有して前記カバーケースに軸支され、前記カバーケースの上面に埋め込まれるように収納可能であるとともに、前記カバーケースの上面から突出する状態へ切り替え可能であり、
前記第１係止部、前記第２係止部、前記第１支持部、及び、前記第２支持部は、入力操作者から見て、前記カバーケースの後側に設けられて、左右方向に異なる位置に配置され、
前記第１支持部と前記第２支持部とは、互いに離れた位置に突出するように前記カバーケースに軸支され、
前記第１係止部と前記第２係止部とは、前記第１支持部及び前記第２支持部の位置より、左右方向のさらに外方の両側位置に配置されていることを特徴とする請求項１または請求項２に記載の入力装置。
【請求項４】
前記スタンド機構は、前記スタンド対象物に磁力を及ぼす磁石をさらに有し、
前記磁石は、前記入力部と前記第１支持部の収納位置との間隙に配置されるとともに、前記第１係止部によって前記スタンド対象物の底辺が係止されたときに前記スタンド対象物を固定するように、磁力を及ぼすことを特徴とする請求項１乃至請求項３のいずれかに記載の入力装置。
【発明の詳細な説明】
【技術分野】
【０００１】
本発明は、入力装置に関し、特に、携帯可能な情報通信端末を補助する入力装置に関する。
【背景技術】
【０００２】
近年、携帯可能な情報通信端末が急速に普及してきている。特に、タブレットと呼ばれるポータブルコンピュータは、薄型軽量でありながら、パーソナルコンピュータとしての性能を備えるとともに、無線通信等の通信端末機能を内蔵しており、様々なニーズに対応することができる。
【０００３】
このようなポータブルコンピュータは、タッチパネルによる入力が使用されていて、文字入力を主体とする作業の場合には、外接式のキーボード入力装置を組み合せると、入力作業の効率を向上できると考えられている。
【０００４】
このような使用方法を想定して、ポータブルキーボードのポータブルコンピュータ用スタンド装置が提案されている。特許文献１に開示されているポータブルキーボードのポータブルコンピュータ用スタンド装置は、後ろ向きに回転可能な後ろ回転フレームと前向きに回転可能な前回転フレームとの間にポータブルコンピュータを収容する収容空間が形成される、外接式のキーボード入力装置である。
【０００５】
入力装置を、ポータブルキーボードとすることによって携帯可能としているので、例えば、電車内でポータブルコンピュータの画面を見ながらキーボード入力操作を行うことができる。
【０００６】
図６は特許文献１に記載のポータブルキーボード１０２のポータブルコンピュータ用スタンド装置１０５の展開状態の斜視図である。前向きに回転する前回転フレーム１１２、１１４及び後ろ向きに回転する後ろ回転フレーム１１０を特定角度に回転させてポータブルコンピュータを収容する収容空間を提供し、後ろ回転フレーム１１０によりポータブルコンピュータの背面を支持することができる。また、前回転フレーム１１２、１１４によりポータブルコンピュータの下縁を押さえることができる。一方、スタンド装置１０５の閉合状態では、前回転フレーム１１２、１１４及び後ろ回転フレーム１１０を回転させてポータブルキーボード１０２の上表面１０４に収容できる。
【０００７】
このスタンド装置によってポータブルコンピュータを安定保持するために、後ろ回転フレームの展開時の高さがポータブルコンピュータの外形寸法に比べて低すぎることは好ましくない。すなわち、展開時の高さを十分に確保できるスタンド装置であることが要望されている。
【先行技術文献】
【特許文献】
【０００８】
【特許文献１】特開平２００４−２７２８９８号公報
【発明の概要】
【発明が解決しようとする課題】
【０００９】
しかしながら、特許文献１のスタンド装置（スタンド機構）では、後ろ回転フレームを十分な高さにするために、カバーケースの後側に設けられる奥行き寸法を大きくする必要がある。すなわち、カバーケースの後側の奥行き寸法を小さくすると、後ろ回転フレームの高さが制限されて、スタンド機構として機能しなくなる、という問題点があった。特に、キー入力部の前方にタッチパッド等を配設する場合、キー入力部の後方の奥行き寸法は小さくなり、後ろ回転フレーム（支持部）の展開時の高さを十分に確保することが難しかった。
【００１０】
本発明は、上述した課題を解決して、カバーケースの前後方向の寸法は小さくても高さを十分に確保できるスタンド機構を備えた入力装置を提供するものである。
【課題を解決するための手段】
【００１１】
この課題を解決するために、請求項１に記載の入力装置は、入力操作を行う入力部と、前記入力部の外周を囲むように配置されたカバーケースと、前記入力部の入力操作を行うときに参照するスタンド対象物を前記カバーケースの上面に配置可能なスタンド機構と、を備えた入力装置であって、前記スタンド機構は、前記入力部の入力操作者側を前側とすれば、前記カバーケースの後側に設けられて、前記スタンド対象物を前記カバーケースの上面位置で係止可能な第１係止部と、前記第１係止部に係止された前記スタンド対象物を所定の角度で後側に傾斜させて支持可能な第１支持部と、を有し、前記第１支持部は、前後方向に回転軸を有して前記カバーケースに軸支され、前記カバーケースの上面に埋め込まれるように収納可能であるとともに、前記カバーケースの上面から突出する状態へ切り替え可能である、という特徴を有する。
【００１２】
請求項２に記載の入力装置は、前記第１係止部は、入力操作者から見て左右方向に回転軸を有して前記カバーケースに軸支され、前記カバーケースの上面に埋め込まれるように収納可能であるとともに、前記カバーケースの上面から突出する状態へ切り替え可能であって、前記第１係止部と前記第１支持部とは、左右方向に異なる位置に収納可能に配置されている、という特徴を有する。
【００１３】
請求項３に記載の入力装置は、前記スタンド機構は、前記スタンド対象物を前記カバーケースの上面位置で係止可能な第２係止部と、前記スタンド対象物を所定の角度で後側に傾斜させて支持可能な第２支持部と、をさらに有し、前記第２支持部は、前後方向に回転軸を有して前記カバーケースに軸支され、前記カバーケースの上面に埋め込まれるように収納可能であるとともに、前記カバーケースの上面から突出する状態へ切り替え可能であり、前記第１係止部、前記第２係止部、前記第１支持部、及び、前記第２支持部は、入力操作者から見て、前記カバーケースの後側に設けられて、左右方向に異なる位置に配置され、前記第１支持部と前記第２支持部とは、互いに離れた位置に突出するように前記カバーケースに軸支され、前記第１係止部と前記第２係止部とは、前記第１支持部及び前記第２支持部の位置より、左右方向のさらに外方の両側位置に配置されている、という特徴を有する。
【００１４】
請求項４に記載の入力装置は、前記スタンド機構は、前記スタンド対象物に磁力を及ぼす磁石をさらに有し、前記磁石は、前記入力部と前記第１支持部の収納位置との間隙に配置されるとともに、前記第１係止部によって前記スタンド対象物の底辺が係止されたときに前記スタンド対象物を固定するように、磁力を及ぼす、という特徴を有する。
【発明の効果】
【００１５】
請求項１の発明によれば、第１支持部は前後方向に回転軸を有してカバーケースの上面から突出するように回転するので、第１支持部の高さは、カバーケースの後側スペースの左右方向に収納可能な寸法に設定することができる。こうすれば、スタンド対象物の高さに比べて、カバーケースの後側スペースの前後方向の寸法は小さくても、高さを十分に確保できるスタンド機構を備えることができる、という効果を奏する。
【００１６】
請求項２の発明によれば、第１係止部と第１支持部とは、カバーケースの前後方向に重なる位置であっても、左右方向に異なる位置に収納可能に配置されているので、第１係止部の収納位置と第１支持部の収納位置とが干渉することなく、カバーケースの前後方向の寸法を小さくすることができる、という効果を奏する。
【００１７】
請求項３の発明によれば、第１支持部と第２支持部とが左右方向に離れて突出されるとともに、第１係止部と第２係止部とが左右方向にさらに外方に配置されているので、比較的大型のスタンド対象物を安定保持することができる、という効果を奏する。
【００１８】
請求項４の発明によれば、入力部と第１支持部の収納位置との間隙を利用して、第１係止部及び第１支持部と干渉することなく、スタンド対象物を固定する磁石が配置できる。このとき、第１係止部によってスタンド対象物が係止されたときに、磁性体を有したスタンド対象物に磁力を及ぼすようにできる。これにより、スタンド対象物を安定して固定することができるので、不安定な作業環境であっても、入力操作が可能である、という効果を奏する。
【００１９】
以上により、本発明によれば、カバーケースの前後方向の寸法は小さくても高さを十分に確保できるスタンド機構を備えた入力装置を提供することができる。
【図面の簡単な説明】
【００２０】
【図１】第１実施形態の入力装置を示す斜視図である。
【図２】第１実施形態の入力装置を示す平面図である。
【図３】スタンド機構を説明する部分拡大図であり、カバーケースの上面にスタンド機構が収納された状態である。
【図４】スタンド機構を説明する部分拡大図であり、カバーケースの上面からスタンド機構を突出させた状態である。
【図５】スタンド機構を説明する側面図であり、入力装置にスタンド対象物を固定した状態である。
【図６】従来のポータブルキーボードのポータブルコンピュータ用スタンド装置の展開状態の斜視図である。
【発明を実施するための形態】
【００２１】
［第１実施形態］
以下に第１実施形態における入力装置１について説明する。図１は、第１実施形態の入力装置１を示す斜視図である。図２は、第１実施形態の入力装置１を示す平面図である。
【００２２】
図１及び図２に示すように、入力装置１は、入力操作者がキーボード入力を行うキースイッチ１１と画面上のカーソル操作等を行うタッチパッド１２とを有する入力部１０と、入力部１０の外周を囲むように配置された略矩形の薄板状のカバーケース３０と、を備えている。入力操作者は、入力部１０のタッチパッド１２側から入力操作するように入力装置１に向き合う。
【００２３】
入力操作者側を入力部１０の前側とすれば、入力部１０の後側を囲むカバーケース３０には、入力操作を行うときに参照するスタンド対象物（図示していない）をカバーケース３０の上面３０ａに配置可能とするために、スタンド機構２０が設けられている。スタンド機構２０は、第１係止部２１、第２係止部２２、第１支持部２５、第２支持部２６、及び、磁石２９を有している。
【００２４】
図１に示すように、スタンド機構２０を使用する状態では、第１係止部２１、第２係止部２２、第１支持部２５、及び、第２支持部２６は、カバーケースの上面から突出する。
【００２５】
スタンド機構２０について、図３乃至図５を用いて、詳細に説明する。図３、図４は、第１係止部２１及び第１支持部２５の部分拡大図である。図３は、スタンド機構２０を使用していない状態であり、カバーケース３０の上面３０ａに第１係止部２１及び第１支持部２５が収納された状態である。図４は、スタンド機構２０を使用する状態であり、カバーケース３０の上面３０ａから第１係止部２１及び第１支持部２５を突出させた状態である。図５は、側面図であり、スタンド機構２０を用いて、入力装置１にスタンド対象物５０を固定した状態である。
【００２６】
図３及び図４に示すように、第１係止部２１は、入力操作者から見て左右方向に回転軸２１ａ、２１ｂを有してカバーケース３０に軸支されている。一方、第１支持部２５は、入力操作者から見て前後方向に回転軸２５ａ、２５ｂを有してカバーケース３０に軸支されている。図３に示すように、カバーケース３０は、上面３０ａに設けられた凹部に第１係止部２１及び第１支持部２５を収納可能であり、スタンド機構２０を使用していない状態では第１係止部２１及び第１支持部２５が埋め込まれて、突出物がない平坦面になる。
【００２７】
スタンド機構２０を使用する状態では、図３及び図４に示すように、第１係止部２１は、入力操作者から見て前向きに回転させることによって、上面３０ａから突出する。一方、第１支持部２５は、入力操作者から見て左向きに回転させることによって、上面３０ａから突出する。
【００２８】
図５に示すように、第１係止部２１によって、入力部１０を隠すことがないように、スタンド対象物５０の底辺がカバーケース３０の後側の上面位置で係止される。一方、第１支持部２５によって、スタンド対象物５０が後側に倒れてしまうことがないように、スタンド対象物５０を所定の角度で後側に傾斜させて、その背面を支持可能である。
【００２９】
図３に示すスタンド機構２０の収納状態と図４に示すスタンド機構２０の突出状態との切り替えを可能とするために、付勢手段とロック手段とが設けられていることが好ましい。こうすれば、ロックを解除すると突出状態に付勢されるとともに、強い力を必要とせずに突出常態から収納状態に戻してロックさせるようにできる。また、ロックを解除すると収納状態に付勢されるとともに、強い力を必要とせずに収納状態から突出常態にしたときにロックさせるようにすることができる。
【００３０】
付勢手段とロック手段とを具体的に図示していないが、図３及び図４において、第１支持部２５は、付勢手段によって収納状態が保持されており、操作者が収納状態から突出常態に切り替えたときにロック手段によってロックさせる動作が可能な形状を模している。また、第１係止部２１は、第１支持部２５がロック状態に切り替わる動作によってロック解除されるロック手段を備えており、通常はロック手段によって収納状態が保持されており、ロック解除されると付勢手段によって突出状態に付勢される動作が可能な形状を模している。これらの付勢手段とロック手段とはカバーケース３０の上面３０ａから突出しないように、カバーケース３０に組み込むことが可能である。
【００３１】
図１及び図２に示すように、入力操作者から見てカバーケース３０の右寄り領域には、第２係止部２２及び第２支持部２６が設けられている。カバーケース３０の左右方向に、第１係止部２１と第２係止部２２とは対称配置され、第１支持部２５と第２支持部２６とは対称配置されている。図３及び図４と同様に、カバーケース３０の上面３０ａに第２係止部２２及び第２支持部２６は収納可能であるとともに、使用時に突出させる。なお、第１支持部２５と第２支持部２６とは対称なので、第２支持部２６は、入力操作者から見て右向きに回転させることによって、上面３０ａから突出する。言い換えれば、第１支持部２５と第２支持部２６とは、図１に示すように、カバーケース３０の左右方向の互いに離れた位置に突出する。
【００３２】
また、図１に示すように、第１係止部２１と第２係止部２２とは、第１支持部２５及び第２支持部２６の位置より、左右方向のさらに外方の両側位置に収納可能に配置されている。入力装置１の左右方向の両端近傍に位置しているが、入力装置１とスタンド対象物との左右方向の寸法がほぼ同じであるときには、スタンド対象物の左右方向の両端近傍を係止することができる。
【００３３】
さらに、図１及び図２に示すように、カバーケース３０には、磁石２９が、入力部１０と第１支持部２５及び第２支持部２６の収納位置との間隙に配置されている。磁石２９は、第１係止部２１及び第２係止部２２によってスタンド対象物の底辺が係止された（図５参照）ときに、スタンド対象物を固定するような磁力を及ぼす。なお、スタンド対象物に磁力を及ぼすためには、スタンド対象物の係止される底辺近傍に磁性体が内蔵されている。この磁性体は、鉄材等でよい。
【００３４】
図１及び図２において、磁石２９は左右方向に長い矩形形状として示しているが、この形状に限定されるものではない。また、磁石２９は１個でよいが、複数個に分割されていてもよい。さらに、分割された複数個の構成において、隣り合う極性を反転させた配列としてもよい。
【００３５】
以下、本実施形態としたことによる効果について説明する。
【００３６】
本実施形態の入力装置１は、入力操作を行う入力部１０と、入力部１０の外周を囲むように配置されたカバーケース３０と、入力部１０の入力操作を行うときに参照するスタンド対象物をカバーケース３０の上面３０ａに配置可能なスタンド機構２０と、を備える。スタンド機構２０は、カバーケース３０の後側に設けられて、スタンド対象物をカバーケース３０の上面位置で係止可能な第１係止部２１と、第１係止部２１に係止されたスタンド対象物を所定の角度で後側に傾斜させて支持可能な第１支持部２５と、を有する。第１支持部２５は、前後方向に回転軸を有してカバーケース３０に軸支され、カバーケース３０の上面３０ａに埋め込まれるように収納可能であるとともに、カバーケース３０の上面から突出する状態へ切り替え可能な構成である。
【００３７】
これにより、第１支持部２５は前後方向に回転軸２５ａ、２５ｂを有してカバーケース３０の上面３０ａから突出するように回転するので、第１支持部２５の高さは、カバーケース３０の後側スペースの左右方向に収納可能な寸法に設定することができる。こうすれば、スタンド対象物の高さに比べて、カバーケース３０の後側スペースの前後方向の寸法は小さくても、高さを十分に確保できるスタンド機構２０を備えることができる、という効果を奏する。
【００３８】
図６に示すように、従来のスタンド装置（スタンド機構）１０５では、ポータブルキーボード１０２の上表面１０４の後側に設けられる寸法により後ろ回転フレーム１１０の高さが制限されてしまう、という問題点があった。スタンド対象物を安定保持するために、後ろ回転フレーム１１０の展開時の高さがスタンド対象物の外形寸法に比べて低すぎることは好ましくない。すなわち、展開時の高さを十分に確保できることが要望されている。本実施形態の入力装置１では、高さを十分に確保できるスタンド機構２０を備えるので、従来構成では実現できない効果が得られる。とくに、図１及び図２に示すように、キースイッチ１１の前方にタッチパッド１２等を配設する場合、入力部１０の後方の奥行き寸法は小さくなり、本実施形態の第１支持部２５を有するスタンド機構２０が好適である。
【００３９】
本実施形態の入力装置１において、第１係止部２１は、入力操作者から見て左右方向に回転軸２１ａ、２１ｂを有してカバーケース３０に軸支され、カバーケース３０の上面３０ａに埋め込まれるように収納可能であるとともに、カバーケース３０の上面３０ａから突出する状態へ切り替え可能であって、第１係止部２１と第１支持部２５とは、左右方向に異なる位置に収納可能に配置されている。
【００４０】
これにより、第１係止部２１と第１支持部２５とは、カバーケース３０の前後方向に重なる位置であってもよい。第１係止部２１と第１支持部２５とは、カバーケース３０の左右方向に異なる位置に収納可能に配置されているので、第１係止部２１の収納位置と第１支持部２５の収納位置とが干渉することなく、カバーケース３０の後側スペースの前後方向の寸法を小さくすることができる、という効果を奏する。
【００４１】
本実施形態の入力装置１において、スタンド機構２０は、スタンド対象物をカバーケース３０の上面位置で係止可能な第２係止部２２と、第１係止部２１及び第２係止部２２に係止されたスタンド対象物を所定の角度で後側に傾斜させて支持可能な第２支持部２６と、をさらに有している。第２支持部２６は、前後方向に回転軸を有してカバーケース３０に軸支され、カバーケース３０の上面３０ａに埋め込まれるように収納可能であるとともに、カバーケース３０の上面３０ａから突出する状態へ切り替え可能である。第１係止部２１、第２係止部２２、第１支持部２５、及び、第２支持部２６は、入力操作者から見て、カバーケース３０の後側に設けられて、左右方向に異なる位置に配置されている。第１支持部２５と第２支持部２６とは、互いに離れた位置に突出するようにカバーケース３０に軸支され、第１係止部２１と第２係止部２２とは、第１支持部２５及び第２支持部２６の位置より、左右方向のさらに外方の両側位置に配置されている。
【００４２】
これにより、第１支持部２５と第２支持部２６とが左右方向に離れて突出されるとともに、第１係止部２１と第２係止部２２とが左右方向にさらに外方に配置されているので、比較的大型のスタンド対象物を安定保持することができる、という効果を奏する。
【００４３】
本実施形態の入力装置１において、前記スタンド機構は、スタンド対象物に磁力を及ぼす磁石２９をさらに有し、磁石２９は、入力部１０と第１支持部２５の収納位置との間隙に配置されるとともに、第１係止部２１によってスタンド対象物の底辺が係止されたときにスタンド対象物を固定するように、磁力を及ぼす構成とした。
【００４４】
これにより、入力部１０と第１支持部２５の収納位置との間隙を利用して、第１係止部２１及び第１支持部２５と干渉することなく、スタンド対象物を固定する磁石２９が配置できる。このとき、第１係止部２１によってスタンド対象物が係止されたときに、磁性体を有したスタンド対象物に磁力を及ぼすようにできる。これにより、磁性体を有したスタンド対象物を安定して固定することができるので、不安定な作業環境であっても、入力操作が可能である、という効果を奏する。
【００４５】
以上のように、本実施形態の入力装置１を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００４６】
（１）本実施形態において、第１係止部２１及び第２係止部２２は、入力操作者から見て左右方向に回転軸を有しているとしたが、カバーケース３０の上面３０ａから突出する機構であれば、他の機構であってもよい。例えば、入力操作者から見て上下方向に昇降する機構に変更してもよい。
【００４７】
（２）本実施形態において、カバーケース３０の左右方向に、第１係止部２１と第２係止部２２とは対称配置され、第１支持部２５と第２支持部２６とは対称配置されているとしたが、対称配置であることに限定されない。例えば、第２係止部２２と第２支持部２６との配置を入れ替えて、第１係止部２１と第２係止部２２とが同じ方向に回転するようにしてもよい。こうすれば、入力操作者は第１係止部２１と第２係止部２２とを同じ方向に回転させて突出状態に切り替えることができる。なお、第１係止部２１と第２係止部２２とが連動して切り替えることができるように、これらの連結機構を内蔵していることが、より好ましい。
【００４８】
（３）本実施形態において、磁石２９はカバーケース３０に配置されているとしたが、スタンド対象物に磁石が内蔵されている場合は、カバーケース３０には磁性体を配置してもよい。この構成であっても、スタンド対象物に内蔵された磁石がカバーケース３０に配置された磁性体に磁力を及ぼして、スタンド対象物を固定することができる。
【符号の説明】
【００４９】
１      入力装置
１０    入力部
１１    キースイッチ
１２    タッチパッド
２０    スタンド機構
２１    第１係止部
２１ａ、２１ｂ  回転軸
２２    第２係止部
２５    第１支持部
２５ａ、２５ｂ  回転軸
２６    第２支持部
２９    磁石
３０    カバーケース
３０ａ  上面
５０    スタンド対象物
【図１】
2014056405.tif 000003
【図２】
2014056405.tif 000004
【図３】
2014056405.tif 000005
【図４】
2014056405.tif 000006
【図５】
2014056405.tif 000007
【図６】
2014056405.tif 000008